(57)【要約】      （修正有）【課題】検出対象の検出精度を維持又は向上することが可能となる、火災検出装置を提供する。【解決手段】火災検出装置１は、筐体の内部に位置し、第１検出対象の検出を行う第１検出空間６１と、筐体の外部に位置し、第２検出対象の検出を行う第２検出空間６２と、筐体の内部に位置し、第１検出対象を含む気体を筐体の外部から第１検出空間に流入させるための流入空間４０と、第２検出対象を検出するために、一部が第２検出空間に収容されるように設けられた熱感知部１１０と、流入空間４０に流入した気体が熱感知部と接触することを抑制可能となるように、熱感知部の周囲の少なくとも一部を覆うための第１カバー部１５０及び第２カバー部１７０と、を備える。【選択図】図４
2020046807.tif 000002
【特許請求の範囲】
【請求項１】
監視領域の火災を検出するための火災検出装置であって、
筐体と、
前記筐体の内部に位置する第１検出空間であって、第１検出対象の検出を行う第１検出空間と、
前記筐体の内部又は外部に位置する第２検出空間であって、第２検出対象の検出を行う第２検出空間と、
前記筐体の内部に位置する流入空間であって、前記第１検出対象を含む気体を前記筐体の外部から前記第１検出空間に流入させるための流入空間と、
前記第２検出対象を検出するための検出手段であって、当該検出手段の少なくとも一部が前記第２検出空間に収容されるように設けられた検出手段と、
前記流入空間に流入した前記気体が前記検出手段と接触することを抑制可能となるように、前記検出手段の周囲の少なくとも一部を覆うためのカバー手段と、
を備えた火災検出装置。
【請求項２】
前記カバー手段を、前記検出手段を挿通可能な筒状体にて形成した、
請求項１に記載の火災検出装置。
【請求項３】
前記カバー手段の内径のうち、前記検出手段の基端部側の内径を他の内径よりも大きくした、
請求項２に記載の火災検出装置。
【請求項４】
前記カバー手段の少なくとも一部の内径を、前記検出手段における前記カバー手段に挿通されている部分の外径と略同一とした、
請求項２又は３に記載の火災検出装置。
【請求項５】
前記筐体の側部のうち前記第２検出空間と対向する対向側部には、前記検出手段を前記第２検出空間に挿通させるための挿通孔を設け、
前記挿通孔を介して前記カバー手段における前記第２検出空間側の端部と前記対向側部とが嵌合可能となるように、前記挿通孔及び前記カバー手段を構成した、
請求項２から４のいずれか一項に記載の火災検出装置。
【請求項６】
前記第１検出対象は、煙又は一酸化炭素であり、
前記第２検出対象は、熱である、
請求項１から５のいずれか一項に記載の火災検出装置。
【発明の詳細な説明】
【技術分野】
【０００１】
本発明は、火災検出装置に関する。
【背景技術】
【０００２】
従来、監視領域の火災を検出する感知器を対象として、熱及び煙を検出することが可能な技術が提案されている。この技術においては、煙検出素子及び熱検出素子を配置した基板を格納するベース部と、ベース部に結合された構造体と、構造体に結合された構造体キャップとを備えた感知器が構成されている。また、この感知器には、ベース部、構造体、及び構造体キャップによって囲繞された空間であって当該空間に挿通された煙検出素子によって煙が検出される空間（以下、「第１検出空間」と称する）と、第１検出空間よりも外側に位置し、且つベース部及び構造体キャップによって囲繞された空間であって第１検出空間に煙を含む気体を流入させる空間（以下、「流入空間」と称する）と、流入空間内に位置する空間であって当該空間に挿通された熱検出素子によって熱が検出される空間（以下、「第２検出空間」と称する）とが設けられている（例えば、特許文献１参照）。
【先行技術文献】
【特許文献】
【０００３】
【特許文献１】特開平９−１６８６９号公報
【発明の概要】
【発明が解決しようとする課題】
【０００４】
しかしながら、上記従来の技術においては、上述したように、流入空間内に第２検出空間が位置するので、煙の如き第１検出対象を含む気体が第２検出空間に流入しやすいため、当該流入した気体によって熱の如き第２検出対象を正確に検出することが難しくなることから、第２検出対象の検出精度を維持又は向上する観点からは、改善の余地があった。
【０００５】
本発明は上記問題に鑑みてなされたもので、検出対象の検出精度を維持又は向上することが可能となる、火災検出装置を提供することを目的とする。
【課題を解決するための手段】
【０００６】
上述した課題を解決し、目的を達成するために、請求項１に記載の火災検出装置は、監視領域の火災を検出するための火災検出装置であって、筐体と、前記筐体の内部に位置する第１検出空間であって、第１検出対象の検出を行う第１検出空間と、前記筐体の内部又は外部に位置する第２検出空間であって、第２検出対象の検出を行う第２検出空間と、前記筐体の内部に位置する流入空間であって、前記第１検出対象を含む気体を前記筐体の外部から前記第１検出空間に流入させるための流入空間と、前記第２検出対象を検出するための検出手段であって、当該検出手段の少なくとも一部が前記第２検出空間に収容されるように設けられた検出手段と、前記流入空間に流入した前記気体が前記検出手段と接触することを抑制可能となるように、前記検出手段の周囲の少なくとも一部を覆うためのカバー手段と、を備えた。
【０００７】
請求項２に記載の火災検出装置は、請求項１に記載の火災検出装置において、前記カバー手段を、前記検出手段を挿通可能な筒状体にて形成した。
【０００８】
請求項３に記載の火災検出装置は、請求項２に記載の火災検出装置において、前記カバー手段の内径のうち、前記検出手段の基端部側の内径を他の内径よりも大きくした。
【０００９】
請求項４に記載の火災検出装置は、請求項２又は３に記載の火災検出装置において、前記カバー手段の少なくとも一部の内径を、前記検出手段における前記カバー手段に挿通されている部分の外径と略同一とした。
【００１０】
請求項５に記載の火災検出装置は、請求項２から４のいずれか一項に記載の火災検出装置において、前記筐体の側部のうち前記第２検出空間と対向する対向側部には、前記検出手段を前記第２検出空間に挿通させるための挿通孔を設け、前記挿通孔を介して前記カバー手段における前記第２検出空間側の端部と前記対向側部とが嵌合可能となるように、前記挿通孔及び前記カバー手段を構成した。
【００１１】
請求項６に記載の火災検出装置は、請求項１から５のいずれか一項に記載の火災検出装置において、前記第１検出対象は、煙又は一酸化炭素であり、前記第２検出対象は、熱である。
【発明の効果】
【００１２】
請求項１に記載の火災検出装置によれば、筐体の内部に位置する第１検出空間と、筐体の内部又は外部に位置する第２検出空間と、筐体の内部に位置する流入空間であって、第１検出対象を含む気体を筐体の外部から第１検出空間に流入させるための流入空間と、第２検出対象を検出するための検出手段であって、当該検出手段の少なくとも一部が第２検出空間に収容されるように設けられた検出手段と、流入空間に流入した気体が検出手段と接触することを抑制可能となるように、検出手段の周囲の少なくとも一部を覆うためのカバー手段と、を備えたので、流入空間に流入した気体が検出手段と接触することを抑制でき、第２検出対象の検出精度を維持又は向上することができる。
【００１３】
請求項２に記載の火災検出装置によれば、カバー手段を、検出手段を挿通可能な筒状体にて形成したので、カバー手段を簡易に構成でき、カバー手段の製造性を向上できる。
【００１４】
請求項３に記載の火災検出装置によれば、カバー手段の内径のうち、検出手段の基端部側の内径を他の内径よりも大きくしたので、カバー手段への検出手段の挿通性を高めることができ、且つカバー手段のサイズのコンパクト化を図りやすくなる。
【００１５】
請求項４に記載の火災検出装置によれば、カバー手段の少なくとも一部の内径を、検出手段におけるカバー手段に挿通されている部分の外径と略同一としたので、流入空間に流入した気体が検出手段と接触することを抑制しやすくなり、第２検出対象の検出精度を維持しやすくなる。
【００１６】
請求項５に記載の火災検出装置によれば、筐体の側部のうち第２検出空間と対向する対向側部には、検出手段を第２検出空間に挿通させるための挿通孔を設け、挿通孔を介してカバー手段における第２検出空間側の端部と対向側部とが嵌合可能となるように、挿通孔及びカバー手段を構成したので、流入空間に流入した気体が第２検出空間側の端部から流入することを抑制でき、流入空間に流入した気体が検出手段と接触することを一層抑制しやすくなる。また、火災検出装置の組立時において、カバー手段の位置決めが容易となるため、組立作業を迅速且つ正確に行うことができる。
【００１７】
請求項６に記載の火災検出装置によれば、第１検出対象が煙又は一酸化炭素であり、第２検出対象が熱であるので、煙又は一酸化炭素を含む気体が検出手段と接触することを抑制でき、熱の検出精度を維持又は向上することが可能となる。
【図面の簡単な説明】
【００１８】
【図１】実施の形態に係る火災検出装置の取付状況を示す側面図である。
【図２】取付ベースを取り外した状態の火災検出装置を示す図であり、（ａ）は平面図、（ｂ）は底面図である。
【図３】図２（ｂ）のＡ−Ａ矢視断面図である。
【図４】図２（ｂ）のＢ−Ｂ矢視断面図である。
【図５】内カバーを示す斜視図である。
【図６】検出部カバーを示す斜視図である。
【発明を実施するための形態】
【００１９】
以下に、本発明に係る火災検出装置の実施の形態を図面に基づいて詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００２０】
〔Ｉ〕実施の形態の基本的概念
まず、実施の形態の基本的概念について説明する。実施の形態は、概略的に、監視領域の火災を検出するための火災検出装置に関するものである。
【００２１】
ここで、「火災検出装置」は、実施の形態では、複数の検出対象の検出結果に基づいて監視領域の火災を検出して報知する装置であり、例えば、熱学的且つ電気学的な火災感知器や火災警報器、熱学的且つ光学的な火災感知器や火災警報器、又は、熱学的、電気学的、且つ光学的な火災感知器や火災警報器等を含む概念である。また、「監視領域」とは、監視の対象となる領域であって、例えば、建物の内部の領域、建物の外部の領域等を含む概念である。また、「建物」とは、その具体的な構造や種類は任意であるが、例えば、戸建て住宅、アパートやマンションの如き集合住宅、オフィスビル、イベント施設、商業施設、及び公共施設等を含む概念である。また、「報知する」とは、例えば、所定情報を外部装置に向けて出力すること、所定情報を出力手段（表示手段又は音声出力手段）を介して表示又は音声出力すること等を含む概念である。以下、実施の形態では、「火災検出装置」が、熱学的且つ光学的な火災感知器」であり、「監視領域」が「オフィスビルの内部の領域」である場合について説明する。
【００２２】
〔ＩＩ〕実施の形態の具体的内容
次に、実施の形態の具体的内容について説明する。
【００２３】
（構成）
まず、実施の形態に係る火災検出装置の構成について説明する。図１は、実施の形態に係る火災検出装置の取付状況を示す側面図である。図２は、後述の取付ベースを取り外した状態の火災検出装置を示す図であり、（ａ）は平面図、（ｂ）は底面図である。図３は、図２（ｂ）のＡ−Ａ矢視断面図である。図４は、図２（ｂ）のＢ−Ｂ矢視断面図である。以下の説明では、図１のＸ方向を火災検出装置の左右方向（＋Ｘ方向を火災検出装置の左方向、−Ｘ方向を火災検出装置の右方向）、図２のＹ方向を火災検出装置の前後方向（＋Ｙ方向を火災検出装置の前方向、−Ｙ方向を火災検出装置の後方向）、図１のＺ方向を火災検出装置の上下方向（＋Ｚ方向を火災検出装置の上方向、−Ｚ方向を火災検出装置の下方向）と称する。
【００２４】
火災検出装置１は、図１に示すように、建物の屋内において建物の天井部の下面にある設置面２に設置されており、図１から図４に示すように、取付ベース１０、外カバー２０、内カバー３０、流入空間４０、防虫網５０、第１検出空間６１、第２検出空間６２、検出部カバー７０、検出部本体８０、端子盤９０、及び基板１００を備えている。
【００２５】
（構成−取付ベース）
図１に戻り、取付ベース１０は、設置面２に対して外カバー２０を取り付けるための取付手段である。この取付ベース１０は、例えば公知の火災検出装置用の取付ベース（一例として、樹脂製である略板状の取付ベース）等を用いて構成されており、図１に示すように、設置面２に対して固定具等によって固定されている。
【００２６】
（構成−外カバー）
外カバー２０は、内カバー３０、流入空間４０、防虫網５０、第１検出空間６１、検出部カバー７０、検出部本体８０、端子盤９０、及び基板１００を覆うカバーである。この外カバー２０は、例えば遮光性を有する樹脂材にて形成されており、図１から図３に示すように、外カバー本体２１、天面部２２、第１リブ部２３、及び第２リブ部２４を備えている。
【００２７】
このうち、外カバー本体２１は、外カバー２０の基本構造体である。この外カバー本体２１は、例えば上面及び下面が開放された略中空円柱状体にて形成されており、図１に示すように、外カバー本体２１の上端部が取付ベース１０の下面と当接するように配置され、取付ベース１０に対して嵌合構造（又は固定具）等によって固定されている。
【００２８】
また、天面部２２は、流入空間４０を区画するための区画手段である。この天面部２２は、例えば略円形状の板状体にて形成されており、図１から図３に示すように、外カバー本体２１よりも下方において略水平に設けられていると共に、第２検出空間６２と対向するように設けられている。なお、この天面部２２は、特許請求の範囲における「対向側部」に対応する。
【００２９】
また、第１リブ部２３は、流入空間４０を区画するための区画手段である。この第１リブ部２３は、略板状体にて形成され、外カバー本体２１と天面部２２との相互間において垂直に設けられており、具体的には、図１、図３に示すように、外カバー２０の中央付近から放射状に複数設けられ、外カバー本体２１及び天面部２２に対して接続されている。
【００３０】
また、第２リブ部２４は、流入空間４０を区画するための区画手段である。この第２リブ部２４は、略板状体にて形成され、外カバー本体２１と天面部２２との相互間において垂直に設けられており、具体的には、図１、図３に示すように、隣接する第１リブ部２３の内側端部同士の相互間に設けられ、外カバー本体２１及び天面部２２に対して接続されている。なお、外カバー２０の構成の詳細については、後述する。
【００３１】
（構成−流入空間）
図１に戻り、流入空間４０は、火災検出装置１の外部から第１検出対象（具体的には、煙）を含む気体を火災検出装置１の内部に流入させるための空間である。この流入空間４０は、外カバー２０の内部において複数形成されて、具体的には、図１、図３に示すように、外カバー２０の内部空間のうち、天面部２２、第１リブ部２３、第２リブ部２４、及び内カバー３０によって囲繞された空間が流入空間４０として形成されている。
【００３２】
（構成−内カバー）
内カバー３０は、第１検出空間６１、検出部カバー７０、検出部本体８０、及び基板１００を覆うカバーであると共に、流入空間４０を区画するための区画手段である。この内カバー３０は、例えば、上面が開放された略中空円柱状体であり、遮光性を有する樹脂材にて形成されており、図３に示すように、外カバー２０の内部において、内カバー３０の下側側部が流入空間４０を介して外カバー２０の天面部２２と対向するように設けられている。
【００３３】
また、図３に示すように、内カバー３０の下側側部には、第１開口部３０ａが設けられている。第１開口部３０ａは、流入空間４０に流入された気体を第１検出空間６１に送るための開口であり、図３に示すように、内カバー３０の下側側部のうち略中央部及びその近傍部分に設けられている。なお、内カバー３０の構成の詳細については、後述する。また、上述した「外カバー２０」及び「内カバー３０」からなるものは、特許請求の範囲における「筐体」に対応する。
【００３４】
（構成−第１検出空間）
第１検出空間６１は、第１検出対象の検出を行う空間であり、図３に示すように、内カバー３０の内部に位置する空間のうち、検出部カバー７０及び検出部本体８０によって囲繞される空間が第１検出空間６１として形成されている。
【００３５】
（構成−第２検出空間）
第２検出空間６２は、第２検出対象（具体的には、熱）の検出を行う空間であり、図３に示すように、外カバー２０の外部に位置する空間のうち、後述する挿通孔１２０の近傍に位置する空間が第２検出空間６２として形成されている。
【００３６】
（構成−検出部カバー）
検出部カバー７０は、第１検出空間６１を区画するための区画手段であると共に、第１検出空間６１に外乱光が入射することを抑制するための入射抑制手段である。この検出部カバー７０は、上面が開放された略中空円柱状体であり、遮光性を有する樹脂材にて形成されている。また、この検出部カバー７０は、図３に示すように、内カバー３０の内部において、検出部カバー７０の下側側部が第１開口部３０ａ及び流入空間４０を介して外カバー２０の天面部２２と対向するように配置され、検出部本体８０に対して嵌合構造等によって固定されている。また、図３に示すように、検出部カバー７０の下側側部には、第２開口部７０ａが形成されている。第２開口部７０ａは、第１開口部３０ａから送られた気体を第１検出空間６１に流入するための開口であり、図３に示すように、検出部カバー７０の下側側部のうち第１開口部３０ａと対応する部分に設けられている。
【００３７】
（構成−防虫網）
防虫網５０は、火災検出装置１の外部にいる虫が第１検出空間６１に侵入するのを防止するための網である。この防虫網５０は、メッシュ状且つ円形状の網を用いて構成されており、図３に示すように検出部カバー７０に取り付けられている。
【００３８】
（構成−検出部本体）
検出部本体８０は、検出部カバー７０を取り付けるための取付手段であり、第１検出空間６１に外乱光が入射することを抑制するための入射抑制手段である。この検出部本体８０は、例えば遮光性を有する樹脂材にて形成されており、図３に示すように、検出部カバー７０の上面を覆うように配置されており、基板１００に対して固定具等によって固定されている。また、この検出部本体８０には、後述する第１発光部、後述する第２発光部、及び後述する受光部の各々を支持するための支持部（図示省略）がそれぞれ設けられている。さらに、この検出部本体８０には、後述する第１発光部、後述する第２発光部、及び後述する受光部の各々と第１検出空間６１との間の光路を形成するための光路孔（図示省略）がそれぞれ形成されている。
【００３９】
（構成−端子盤）
端子盤９０は、内カバー３０、検出部カバー７０、検出部本体８０、及び基板１００を収容するための収容手段である。この端子盤９０は、下面が開放された略中空円柱状であり、例えば遮光性を有する樹脂材にて形成されている。また、この端子盤９０は、図３に示すように、内カバー３０、検出部カバー７０、検出部本体８０、及び基板１００を上方から覆うように設けられ、外カバー２０に対して嵌合構造等によって固定されていると共に、且つ取付ベース１０に対して取付部材９１に形成された第１取付孔９１ａを介して固定具等によって固定されている。
【００４０】
（構成−基板）
基板１００は、各種の電気回路（図示省略）が実装される実装手段である。この基板１００は、例えば公知の平板状の回路基板等を用いて構成されており、図３に示すように、端子盤９０の内部において、端子盤９０の上端部及び下端部と間隔を隔てて略水平に配置され、端子盤９０に対して端子盤９０に形成された取付孔（図示省略）及び取付部材９１に形成された第２取付孔９１ｂを介して固定具によって固定されている。
【００４１】
また、基板１００には、従来の火災検出装置１に用いられる公知の電子部品が実装されていることに加えて、図３、図４に示すように、第１発光部（図示省略）、第２発光部（図示省略）、受光部（図示省略）、熱感知部１１０、表示部（図示省略）、通信部（図示省略）、電源部（図示省略）、制御部（図示省略）、及び記憶部（図示省略）が実装されている。
【００４２】
（構成−基板−第１発光部、第２発光部、受光部）
このうち、第１発光部は、第１検出空間６１に検出光（以下、「第１検出光」と称する）を照射する第１発光手段であり、例えば公知の発光素子（一例として赤外ＬＥＤ等）を用いて構成されている。また、第２発光部は、第１検出光とは波長が異なる検出光（以下、「第２検出光」と称する）を第１検出空間６１に照射する第２発光手段であり、例えば公知の発光素子（一例として青色ＬＥＤ等）を用いて構成されている。また、受光部は、第１発光部から照射された第１検出光の煙による散乱光を受光し、当該受光した散乱光に応じた第１受光信号を出力すると共に、第２発光部から照射された第２検出光の煙に対する散乱光を受光し、当該受光した散乱光に応じた第２受光信号を出力する受光手段であり、例えば公知の受光素子（一例としてフォトダイオード等）を用いて構成されている。また、第１発光部、第２発光部、及び受光部の設置方法については任意であるが、実施の形態では、第１発光部又は第２発光部から照射された第１検出光又は第２検出光が検出部本体８０の各種の光路孔を介して直接的に受光部されることを回避できるように設置している。例えば、第１発光部の光軸（以下、「第１発光側光軸」と称する）と受光部の光軸（以下、「受光側光軸」と称する）との角度が１３５°程度となる位置に、第１発光部及び受光部を設置する。また、第２発光部の光軸（以下、「第２発光側光軸」と称する）と受光側光軸との角度が９０°程度となる位置に、第２発光部及び受光部を設置している。
【００４３】
（構成−基板−熱感知部）
また、熱感知部１１０は、第２検出対象を検出するための検出手段である。この熱感知部１１０は、例えば公知の熱感知素子（一例として、サーミスタ等）を用いて構成されており、図４に示すように、検出部本体８０に設けられた挿通孔（図示省略）、後述する検出部カバー７０の挿通孔１６１、後述する内カバー３０の挿通孔１４１、及び後述する外カバー２０の挿通孔１２０を介して熱感知部１１０の一部が第２検出空間６２に挿通（収容）されるように配置されている。
【００４４】
（構成−基板−表示部、通信部、電源部）
また、表示部は、火災検出装置１の外部に向けて光（以下、「表示光」と称する）を照射することにより所定情報（例えば、火災の検出の有無を示す情報）を表示するための表示手段であり、例えば公知の表示手段（ＬＥＤ等）を用いて構成されている。また、この表示部の投光方法については任意であるが、例えば、検出部本体８０に設けられた挿通孔（図示省略）、後述する検出部カバー７０の挿通孔１６２、後述する内カバー３０の挿通孔１４２、並びに後述する外カバー２０の挿通孔１２０に挿通されたライトガイド（図示省略）を介して表示部からの表示光を火災検出装置１の外部に向けて誘導することにより投光すること等が該当する。また、通信部は、外部装置（例えば、受信機等）との間で通信する通信手段である。また、電源部は、商用電源又は電池（図示省略）から供給された電力を、火災検出装置１の各部に供給する電源手段である。
【００４５】
（構成−基板−制御部、記憶部）
また、制御部は、火災検出装置１を制御する制御手段である。この制御部は、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）及びプログラムや各種のデータを格納するためのＲＡＭの如き内部メモリを備えて構成されるコンピュータである。また、記憶部は、火災検出装置１の動作に必要なプログラム及び各種のデータを記憶する記憶手段である。この記憶部は、書き換え可能な記録媒体を用いて構成され、例えばフラッシュメモリ等の不揮発性記録媒体を用いることができる。
【００４６】
（構成−外カバーの構成の詳細）
図１に戻り、次に、外カバー２０の構成の詳細について説明する。ただし、この外カバー２０は、特記する場合を除いて、任意の形状、方法、及び材質で製造することができる。
【００４７】
実施の形態では、図１から図４に示すように、外カバー２０の天面部２２には、挿通孔１２０及びガード部１３０が設けられている。
【００４８】
（構成−外カバーの構成の詳細−挿通孔）
挿通孔１２０は、熱感知部１１０の一部を第２検出空間６２に挿通させると共に、表示部からの表示光を火災検出装置１の外部に照射するための貫通孔である。
【００４９】
ここで、挿通孔１２０の具体的な形状及び大きさについては任意であるが、実施の形態では、挿通孔１２０の平面形状については、図２（ｂ）に示すように、略楕円形状に設定している（あるいは、四角形状等の多角形状であってよい）。また、挿通孔１２０の径については、熱感知部１１０の一部のみを第２検出空間６２に露出させることができ、且つ表示光を火災検出装置１の外部に照射することが可能な大きさに設定しており、例えば、熱感知部１１０の径とライトガイドの径とを加算した長さよりも長く設定している。
【００５０】
また、挿通孔１２０の形成方法については任意であるが、流入空間４０と対向する部分に形成しており、具体的には、図２（ｂ）に示すように、天面部２２における右側部分に形成している。この場合には、例えば、熱感知部１１０及び表示部は、基板１００の部分のうち挿通孔１２０と対応する部分又はその近傍に設置されてもよい。このような形成方法により、挿通孔１２０を天面部２２の中央部に形成する場合に比べて、熱感知部１１０及び表示部の取付上の制約を受けにくいことから、熱感知部１１０及び表示部の取付性を維持できる。
【００５１】
このような挿通孔１２０により、挿通孔１２０を介して熱感知部１１０の一部が第２検出空間６２に挿通させることができると共に、表示部からの表示光を挿通孔１２０を介して火災検出装置１の外部に向けて照射することができる。
【００５２】
（構成−外カバーの構成の詳細−ガード部）
ガード部１３０は、熱感知手段を保護するためのガード手段である。このガード部１３０は、図１から図４に示すように、熱感知部１１０における火災検出装置１の外部に露出する部分及び挿通孔１２０の周囲を覆うように設けられている。また、このガード部１３０は、複数の長尺なリブ１３１（以下、「ガード側リブ１３１」と称する）を組み合わせて構成されており、具体的には、図１から図４に示すように、複数のガード側リブ１３１の各々の長手方向が上下方向に略沿うように設けられている（図２（ｂ）、図３では、若干傾斜して設けられている）と共に、相互に間隔を隔てて天面部２２の下面に対して立設されている。
【００５３】
このような構成により、ガード部１３０によって挿通孔１２０が火災検出装置１の外部に露出することを抑制でき、ガード部１３０への気体の流入性を損なわずに、火災検出装置１の意匠性を維持できる。
【００５４】
（構成−内カバーの構成の詳細）
図３に戻り、次に、内カバー３０の構成の詳細について説明する。図５は、内カバー３０を示す斜視図である。ただし、この内カバー３０は、特記する場合を除いて、任意の形状、方法、及び材質で製造することができる。
【００５５】
実施の形態では、図３から図５に示すように、内カバー３０に、挿通孔１４１、挿通孔１４２、及び第１カバー部１５０が設けられている。
【００５６】
（構成−内カバーの構成の詳細−挿通孔）
挿通孔１４１は、熱感知部１１０の一部を第２検出空間６２に挿通させるための貫通孔であり、挿通孔１４２は、表示部からの表示光を火災検出装置１の外部に照射するための貫通孔である。これら挿通孔１４１、１４２は、図４、図５に示すように、内カバー３０の下側側部のうち、流入空間４０と対向し且つ挿通孔１２０と対応する部分にそれぞれ設けられている。
【００５７】
（構成−内カバーの構成の詳細−第１カバー部）
第１カバー部１５０は、流入空間４０に流入した気体が熱感知部１１０と接触することを抑制可能となるように、熱感知部１１０の周囲の少なくとも一部を覆うためのカバー手段である。この第１カバー部１５０は、図４、図５に示すように、内カバー３０の外部において、内カバー３０の下側側部から下方に向けて張り出すように設けられている。
【００５８】
また、この第１カバー部１５０の具体的な構成については任意であるが、実施の形態では、熱感知部１１０における流入空間４０に位置する部分（以下、「第１部分」と称する）の周囲の少なくとも一部を囲繞するように構成されている。
【００５９】
具体的には、まず、第１カバー部１５０は、図４、図５に示すように、熱感知部１１０を挿通可能な筒状体（例えば、円筒状体、角筒状体等）に形成されており、第１カバー部１５０によって挿通孔１２０、挿通孔１４１、及び熱感知部１１０の第１部分の各々の外周全体が覆われるように配置されている。この場合において、第１カバー部１５０の内径については任意であるが、例えば、第１カバー部１５０の少なくとも一部の内径を、熱感知部１１０における第１カバー部１５０に挿通されている部分の外径（具体的には、第１部分におけるＸ−Ｙ平面に沿った断面の外径）と略同一に設定することにより、流入空間４０に流入した気体が熱感知部１１０と接触することを抑制してもよい（なお、後述する第２カバー部１７０の内径についても同様に設定されてもよい）。これにより、第１カバー部１５０を簡易に構成でき、第１カバー部１５０の製造性を向上できる。
【００６０】
また、第１カバー部１５０及び挿通孔１２０は、挿通孔１２０を介して第１カバー部１５０における第２検出空間６２側の端部（図４では、第１カバー部１５０の下端部）と天面部２２とが嵌合可能となるように構成されている。より具体的には、図４に示すように、第１カバー部１５０の上下方向の長さについては、流入空間４０の上下方向の長さと略同一に設定している。また、第１カバー部１５０の下端部又は天面部２２における挿通孔１２０の近傍部分のいずれか一方に嵌合部（図示省略）が設けられ、且つ、第１カバー部１５０の下端部又は天面部２２における挿通孔１２０の近傍部分のいずれか他方に被嵌合部（図示省略）が設けられており、これら被嵌合部が嵌合部によって嵌め合わされるように、第１カバー部１５０は配置されている。これにより、流入空間４０に流入した気体が第２検出空間６２側の端部から流入することを抑制でき、流入空間４０に流入した気体が熱感知部１１０と接触することを抑制しやすくなる。また、火災検出装置１の組立時において、第１カバー部１５０の位置決めが容易となるため、組立作業を迅速且つ正確に行うことができる。
【００６１】
このような第１カバー部１５０の構成により、流入空間４０に流入した気体が熱感知部１１０と接触することを抑制でき、第２検出対象の検出精度を維持又は向上することができる。特に、第１検出対象が煙であり、第２検出対象が熱であるので、煙を含む気体が熱感知部１１０と接触することを抑制でき、熱の検出精度を維持又は向上することが可能となる。
【００６２】
（構成−検出部カバーの構成の詳細）
図４に戻り、次に、検出部カバー７０の構成の詳細について説明する。図６は、検出部カバー７０を示す斜視図である。ただし、この検出部カバー７０は、特記する場合を除いて、任意の形状、方法、及び材質で製造することができる。
【００６３】
実施の形態では、図４、図６に示すように、検出部カバー７０に、挿通孔１６１、挿通孔１６２、及び第２カバー部１７０が設けられている。
【００６４】
（構成−検出部カバーの構成の詳細−挿通孔）
挿通孔１６１は、熱感知部１１０の一部を第２検出空間６２に挿通させるための貫通孔であり、図４、図６に示すように、検出部カバー７０の下側側部のうち、挿通孔１４１と対応する部分に設けられている。また、挿通孔１６２は、表示部からの表示光を火災検出装置１の外部に照射するための貫通孔であり、図６に示すように、検出部カバー７０の下側側部のうち、挿通孔１４２と対応する部分に設けられている。
【００６５】
（構成−検出部カバーの構成の詳細−第２カバー部）
第２カバー部１７０は、流入空間４０に流入した気体が熱感知部１１０と接触することを抑制可能となるように、熱感知部１１０の周囲の少なくとも一部を覆うためのカバー手段である。この第２カバー部１７０は、図４、図６に示すように、第２カバー部１７０の外部において、第２カバー部１７０の下側側部から下方に向けて張り出すように設けられている。
【００６６】
また、この第２カバー部１７０の具体的な構成については任意であるが、実施の形態では、熱感知部１１０における内カバー３０の内部（具体的には、内カバー３０の内部のうち第１検出空間６１以外の部分）に位置する部分（以下、「第２部分」と称する。）の周囲の少なくとも一部を囲繞するように構成されている。
【００６７】
具体的には、まず、第２カバー部１７０は、図４、図６に示すように、熱感知部１１０を挿通可能な筒状体（例えば、円筒状体、角筒状体等）に形成されており、第２カバー部１７０によって挿通孔１４１、挿通孔１６１、及び熱感知部１１０の第２部分の各々の外周全体が覆われるように配置されている。この場合において、第２カバー部１７０の内径については任意であるが、例えば、図４に示すように、第２カバー部１７０の内径のうち、熱感知部１１０の基端部側の内径（図４では、第２カバー部１７０の上方側の内径）を他の内径よりも大きく設定することにより、第２カバー部１７０への熱感知部１１０の挿通性を高めることができ、且つ第２カバー部１７０のサイズのコンパクト化を図りやすくしてもよい。これにより、第２カバー部１７０を簡易に構成でき、第２カバー部１７０の製造性を向上できる。
【００６８】
また、第２カバー部１７０は、第１カバー部１５０に対して嵌合可能となるように構成されている。より具体的には、図４、図６に示すように、第２カバー部１７０の上下方向の長さについては、内カバー３０の上下方向の長さよりも若干短く（又は略同一）に設定している。また、第１カバー部１５０の上端部又は第２カバー部１７０の下端部のいずれか一方に嵌合部（図示省略）が設けられ、且つ、第１カバー部１５０の上端部又は第２カバー部１７０の下端部のいずれか他方に被嵌合部（図示省略）が設けられており、これら被嵌合部が嵌合部によって嵌め合わされるように、第２カバー部１７０は配置されている。これにより、流入空間４０に流入した気体が第１カバー部１５０と第２カバー部１７０との境界部に流入することを抑制でき、流入空間４０に流入した気体が熱感知部１１０と接触することを抑制しやすくなる。また、火災検出装置１の組立時において、第２カバー部１７０の位置決めが容易となるため、組立作業を迅速且つ正確に行うことができる。
【００６９】
このような第２カバー部１７０の構成により、流入空間４０に流入した気体が熱感知部１１０と接触することを抑制でき、第２検出対象の検出精度を維持又は向上することができる。
【００７０】
なお、これら第１カバー部１５０及び第２カバー部１７０の形成方法については任意であるが、実施の形態では、図４から図６に示すように、第１カバー部１５０と第２カバー部１７０とを別体に形成している。ただし、これに限らず、例えば、遮光性を有する樹脂材を射出成形することにより、第１カバー部１５０と、第２カバー部１７０と、検出部カバー７０（又は内カバー３０）とを一体に形成してもよい。
【００７１】
（火災検出装置の作用について）
次に、このように構成された火災検出装置１の作用について説明する。
【００７２】
すなわち、例えば、火災検出装置１が設置面２に取り付けられた状態において、火災検出装置１の外部にある気体が流入空間４０に流入すると、第１カバー部１５０によって当該流入した気体が熱感知部１１０（具体的には、第１部分）と接触することが阻害される。よって、流入空間４０に流入した気体が熱感知部１１０と接触することを抑制できる。
【００７３】
また、火災検出装置１の外部にある気体が流入空間４０に流入した後に第１開口部３０ａを介して内カバー３０の内部に流入すると、第２カバー部１７０によって当該流入した気体が熱感知部１１０（具体的には、第２部分）と接触することが阻害される。よって、流入空間４０に流入した気体が熱感知部１１０と接触することを抑制できる。
【００７４】
（実施の形態の効果）
このように実施の形態によれば、筐体の内部に位置する第１検出空間６１と、筐体の外部に位置する第２検出空間６２と、筐体の内部に位置する流入空間４０であって、第１検出対象を含む気体を筐体の外部から第１検出空間６１に流入させるための流入空間４０と、第２検出対象を検出するための熱感知部１１０であって、当該熱感知部１１０の少なくとも一部が第２検出空間６２に収容されるように設けられた熱感知部１１０と、流入空間４０に流入した気体が熱感知部１１０と接触することを抑制可能となるように、熱感知部１１０の周囲の少なくとも一部を覆うための第１カバー部１５０及び第２カバー部１７０と、を備えたので、流入空間４０に流入した気体が熱感知部１１０と接触することを抑制でき、第２検出対象の検出精度を維持又は向上することができる。
【００７５】
また、第１カバー部１５０及び第２カバー部１７０を、熱感知部１１０を挿通可能な筒状体にて形成したので、第１カバー部１５０及び第２カバー部１７０を簡易に構成でき、第１カバー部１５０及び第２カバー部１７０の製造性を向上できる。
【００７６】
また、第２カバー部１７０の内径のうち、熱感知部１１０の基端部側の内径を他の内径よりも大きくしたので、第２カバー部１７０への熱感知部１１０の挿通性を高めることができ、且つ第２カバー部１７０のサイズのコンパクト化を図りやすくなる。
【００７７】
また、第１カバー部１５０の少なくとも一部の内径を、熱感知部１１０における第１カバー部１５０に挿通されている部分の外径（具体的には、第１部分におけるＸ−Ｙ平面に沿った断面の外径）と略同一としたので、流入空間４０に流入した気体が熱感知部１１０と接触することを抑制しやすくなり、第２検出対象の検出精度を維持しやすくなる。
【００７８】
また、筐体の側部のうち第２検出空間６２と対向する天面部２２には、熱感知部１１０を第２検出空間６２に挿通させるための挿通孔１２０を設け、挿通孔１２０を介して第１カバー部１５０における第２検出空間６２側の端部と天面部２２とが嵌合可能となるように、挿通孔１２０及び第１カバー部１５０を構成したので、流入空間４０に流入した気体が第２検出空間６２側の端部から流入することを抑制でき、流入空間４０に流入した気体が熱感知部１１０と接触することを一層抑制しやすくなる。また、火災検出装置１の組立時において、第１カバー部１５０の位置決めが容易となるため、組立作業を迅速且つ正確に行うことができる。
【００７９】
また、第１検出対象が煙であり、第２検出対象が熱であるので、煙を含む気体が熱感知部１１０と接触することを抑制でき、熱の検出精度を維持又は向上することが可能となる。
【００８０】
〔ＩＩＩ〕実施の形態に対する変形例
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００８１】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏したりすることがある。
【００８２】
（第１検出対象、第２検出対象について）
上記実施の形態では、第１検出対象が、煙であると説明したが、これに限らない。例えば、一酸化炭素であってもよい。この場合には、筐体の内部に、第１発光部、第２発光部、及び受光部に代えて、一酸化炭素を検出する一酸化炭素検出手段が設けられる。また、煙及び一酸化炭素であってもよい。この場合には、筐体の内部に、第１発光部、第２発光部、及び受光部に加えて、一酸化炭素検出手段が設けられる。
【００８３】
また、上記実施の形態では、第２検出対象が熱であると説明したが、これに限らない。例えば、煙又は一酸化炭素であってもよい。この場合には、第２検出空間６２に第１発光部、第２発光部、及び受光部や、あるいは、一酸化炭素検出手段が設けられる。
【００８４】
（火災検出装置について）
上記実施の形態では、火災検出装置１が内カバー３０を備えていると説明したが、これに限らず、例えば、内カバー３０を省略してよい。この場合には、外カバー２０の内部に第１カバー部１５０及び第２カバー部１７０が設けられてもよい。
【００８５】
（熱感知部について）
上記実施の形態では、第２検出空間６２に熱感知部１１０の一部のみが収容されていると説明したが、これに限らず、例えば、熱感知部１１０全体が収容されてもよい。
【００８６】
（第２検出空間について）
上記実施の形態では、第２検出空間６２が筐体の外部に設けられていると説明したが、これに限らず、例えば、筐体の内部に設けられてもよい。
【００８７】
（第１カバー部、第２カバー部について）
上記実施の形態では、第２カバー部１７０の内径のうち、熱感知部１１０の基端部側の内径を他の内径よりも大きく設定していると説明したが、これに限らず、例えば、熱感知部１１０の内径を均一に設定してもよい。
【００８８】
また、上記実施の形態では、第１カバー部１５０が、挿通孔１２０、挿通孔１４１、及び熱感知部１１０の第１部分の各々の外周全体を覆うように構成されていると説明したが、これに限らず、当該外周の一部のみを覆うように構成されてもよい。また、上記実施の形態では、第２カバー部１７０が、挿通孔１４１、挿通孔１６１、及び熱感知部１１０の第２部分の各々の外周全体を覆うように構成されていると説明したが、これに限らず、当該外周の一部のみを覆うように構成されてもよい。
【００８９】
また、上記実施の形態では、第１カバー部１５０及び挿通孔１２０は、挿通孔１２０を介して第１カバー部１５０における第２検出空間６２側の端部と天面部２２とが嵌合可能となるように構成されていると説明したが、これに限らず、例えば、挿通孔１２０を介して第１カバー部１５０における第２検出空間６２側の端部と天面部２２とが嵌合できないように構成されてもよい。また、上記実施の形態では、第２カバー部１７０は、第１カバー部１５０に対して嵌合可能となるように構成されていると説明したが、これに限らず、例えば、第２カバー部１７０に対して嵌合できないように構成されてもよい。
【００９０】
（付記）
付記１の火災検出装置は、監視領域の火災を検出するための火災検出装置であって、筐体と、前記筐体の内部に位置する第１検出空間であって、第１検出対象の検出を行う第１検出空間と、前記筐体の内部又は外部に位置する第２検出空間であって、第２検出対象の検出を行う第２検出空間と、前記筐体の内部に位置する流入空間であって、前記第１検出対象を含む気体を前記筐体の外部から前記第１検出空間に流入させるための流入空間と、前記第２検出対象を検出するための検出手段であって、当該検出手段の少なくとも一部が前記第２検出空間に収容されるように設けられた検出手段と、前記流入空間に流入した前記気体が前記検出手段と接触することを抑制可能となるように、前記検出手段の周囲の少なくとも一部を覆うためのカバー手段と、を備えた。
【００９１】
また、付記２の火災検出装置は、付記１に記載の火災検出装置において、前記カバー手段を、前記検出手段を挿通可能な筒状体にて形成した。
【００９２】
また、付記３の火災検出装置は、付記２に記載の火災検出装置において、前記カバー手段の内径のうち、前記検出手段の基端部側の内径を他の内径よりも大きくした。
【００９３】
また、付記４の火災検出装置は、付記２又は３に記載の火災検出装置において、前記カバー手段の少なくとも一部の内径を、前記検出手段における前記カバー手段に挿通されている部分の外径と略同一とした。
【００９４】
また、付記５の火災検出装置は、付記２から４のいずれか一項に記載の火災検出装置において、前記筐体の側部のうち前記第２検出空間と対向する対向側部には、前記検出手段を前記第２検出空間に挿通させるための挿通孔を設け、前記挿通孔を介して前記カバー手段における前記第２検出空間側の端部と前記対向側部とが嵌合可能となるように、前記挿通孔及び前記カバー手段を構成した。
【００９５】
また、付記６の火災検出装置は、付記１から５のいずれか一項に記載の火災検出装置において、前記第１検出対象は、煙又は一酸化炭素であり、前記第２検出対象は、熱である。
【００９６】
（付記の効果）
付記１に記載の火災検出装置によれば、筐体の内部に位置する第１検出空間と、筐体の内部又は外部に位置する第２検出空間と、筐体の内部に位置する流入空間であって、第１検出対象を含む気体を筐体の外部から第１検出空間に流入させるための流入空間と、第２検出対象を検出するための検出手段であって、当該検出手段の少なくとも一部が第２検出空間に収容されるように設けられた検出手段と、流入空間に流入した気体が検出手段と接触することを抑制可能となるように、検出手段の周囲の少なくとも一部を覆うためのカバー手段と、を備えたので、流入空間に流入した気体が検出手段と接触することを抑制でき、第２検出対象の検出精度を維持又は向上することができる。
【００９７】
付記２に記載の火災検出装置によれば、カバー手段を、検出手段を挿通可能な筒状体にて形成したので、カバー手段を簡易に構成でき、カバー手段の製造性を向上できる。
【００９８】
付記３に記載の火災検出装置によれば、カバー手段の内径のうち、検出手段の基端部側の内径を他の内径よりも大きくしたので、カバー手段への検出手段の挿通性を高めることができ、且つカバー手段のサイズのコンパクト化を図りやすくなる。
【００９９】
付記４に記載の火災検出装置によれば、カバー手段の少なくとも一部の内径を、検出手段におけるカバー手段に挿通されている部分の外径と略同一としたので、流入空間に流入した気体が検出手段と接触することを抑制しやすくなり、第２検出対象の検出精度を維持しやすくなる。
【０１００】
付記５に記載の火災検出装置によれば、筐体の側部のうち第２検出空間と対向する対向側部には、検出手段を第２検出空間に挿通させるための挿通孔を設け、挿通孔を介してカバー手段における第２検出空間側の端部と対向側部とが嵌合可能となるように、挿通孔及びカバー手段を構成したので、流入空間に流入した気体が第２検出空間側の端部から流入することを抑制でき、流入空間に流入した気体が検出手段と接触することを一層抑制しやすくなる。また、火災検出装置の組立時において、カバー手段の位置決めが容易となるため、組立作業を迅速且つ正確に行うことができる。
【０１０１】
付記６に記載の火災検出装置によれば、第１検出対象が煙又は一酸化炭素であり、第２検出対象が熱であるので、煙又は一酸化炭素を含む気体が検出手段と接触することを抑制でき、熱の検出精度を維持又は向上することが可能となる。
【符号の説明】
【０１０２】
１  火災検出装置
２  設置面
１０  取付ベース
２０  外カバー
２１  外カバー本体
２２  天面部
２３  第１リブ部
２４  第２リブ部
３０  内カバー
３０ａ  第１開口部
４０  流入空間
５０  防虫網
６１  第１検出空間
６２  第２検出空間
７０  検出部カバー
７０ａ  第２開口部
８０  検出部本体
９０  端子盤
９１  取付部材
９１ａ  第１取付孔
９１ｂ  第２取付孔
１００  基板
１１０  熱感知部
１２０  挿通孔
１３０  ガード部
１３１  ガード側リブ
１４１  挿通孔
１４２  挿通孔
１５０  第１カバー部
１６１  挿通孔
１６２  挿通孔
１７０  第２カバー部
【図１】
2020046807.tif 000003
【図２】
2020046807.tif 000004
【図３】
2020046807.tif 000005
【図４】
2020046807.tif 000006
【図５】
2020046807.tif 000007
【図６】
2020046807.tif 000008